(57)【要約】【課題】横射出／横型締め式のダイカストマシーンを構成し、プランジャによって溶湯を射出充填する前に、溶湯がキャビティに垂れ込むことを防止するダイカスト金型及び当該ダイカスト金型を用いて行うダイカスト法の提供。【解決手段】横射出／横型締め式のダイカストマシーンを構成するダイカスト金型１の湯道は、スリーブ下方へ延出してキャビティ１ａに連通する下方延出湯道１ｃと、スリーブ上方に延出してキャビティ１ａに連通する上方延出湯道１ｂと、スリーブ内の溶湯２を上方へ導く第１の湯道１ｄとを有する。プランジャで溶湯２を射出すると第１の湯道１ｄを介して下方延出湯道１ｃと上方延出湯道１ｂとに溶湯２が供給される。【選択図】図２
2007136522.tif 000002
【特許請求の範囲】
【請求項１】
略鉛直方向に指向する固定型分割面を有する固定型と、
略鉛直方向に指向する可動型分割面を有し、該可動型分割面と該固定型分割面とが互いに当接することによりキャビティ及び該キャビティに連通する湯道を該固定型と共に画成し、略水平方向へ移動可能な可動型と、
該固定型の一部であって該固定型分割面の略中央位置に相当する位置に取付けられ該湯道に連通するスリーブとを有し、
該湯道は該スリーブから下方へ延出してキャビティに連通する下方延出湯道と該スリーブから上方へ延出して該キャビティに連通する上方延出湯道とを有し、該湯道を介して該スリーブ内に給湯された溶湯を該キャビティに射出充填するダイカスト金型において、
該湯道は、該スリーブの上方に溶湯を導く第１の湯道を有し、
該第１の湯道を介して該下方延出湯道と該上方延出湯道とに溶湯が供給されることを特徴とするダイカスト金型。
【請求項２】
該湯道は、該第１の湯道と該下方延出湯道と該上方延出湯道とに連通する第２の湯道を有することを特徴とする請求項１記載のダイカスト金型。
【請求項３】
請求項１又は請求項２記載のダイカスト金型を用いてダイカストすることを特徴とするダイカスト法。
【発明の詳細な説明】
【技術分野】
【０００１】
本発明は、ダイカスト金型及びダイカスト法に関し、特に横射出／横型締め式のダイカストマシーンを構成するダイカスト金型及び当該ダイカスト金型を用いて行うダイカスト法に関する。
【背景技術】
【０００２】
可動型と固定型とを備える金型であって、鉛直方向に対して垂直方向、即ち、横方向へ可動型を移動させることにより、型開き又は型締めを行う横射出／横型締め式のダイカストマシーンが知られている。
【０００３】
例えば、特開２００２−１３７７５８号公報には、車両のサブフレームをダイカストするためのダイカストマシーンが記載されている。ダイカストマシーンは、図７、図８に示されるように、ダイカスト金型２０１を有しており、ダイカスト金型２０１は固定型２１０と可動型２２０とを備えている。固定型２１０と可動型２２０とでキャビティ２０１ａとキャビティ２０１ａに連通する湯道とを画成する。固定型２１０の略中央位置には、溶湯２０２を注入するためのスリーブ２３０が取り付けられており、スリーブ２３０は湯道に連通する。スリーブ２３０にはプランジャ２３１が設けられている。
【０００４】
湯道は下方延出湯道２０１ｃと上方延出湯道２０１ｂとを有する。下方延出湯道２０１ｃは、スリーブ２３０から下方へ延出してキャビティ２０１ａに連通する。上方延出湯道２０１ｂはスリーブ２３０から上方へ延出してキャビティ２０１ａに連通する。スリーブ２３０内に給湯された溶湯２０２は、プランジャ２３１をスリーブ２３０内で摺動させることにより、下方延出湯道２０１ｃと上方延出湯道２０１ｂとを介してキャビティ２０１ａに高速充填される。なお、図７は、図８の破線で示される位置における断面図である。
【特許文献１】特開２００２−１３７７５８号公報（２頁〜３頁、図２〜図４）
【発明の開示】
【発明が解決しようとする課題】
【０００５】
しかし、上述の横射出／横型締め式のダイカストマシーンのように固定型２１０の略中央位置にスリーブ２３０を配置した場合には、スリーブ２３０に供給された溶湯２０２が、プランジャ２３１により高速充填する前に、図８の矢印に示されるように、スリーブ２３０から下方延出湯道２０１ｃに垂れ込み、キャビティ２０１ａに流入する。このため鋳造欠陥が生ずるという問題がある。
【０００６】
そこで、本発明は、横射出／横型締め式のダイカストマシーンを構成し、プランジャによって溶湯を射出充填する前に、溶湯がキャビティに垂れ込むことを防止するダイカスト金型及び当該ダイカスト金型を用いて行うダイカスト法を提供することを目的とする。
【課題を解決するための手段】
【０００７】
上記目的を達成するために、本発明は、略鉛直方向に指向する固定型分割面１０Ａを有する固定型１０、１１０と、略鉛直方向に指向する可動型分割面２０Ａを有し、該可動型分割面２０Ａと該固定型分割面１０Ａとが互いに当接することによりキャビティ１ａ、１０１ａ及び該キャビティ１ａ、１０１ａに連通する湯道を該固定型１０、１１０と共に画成し、略水平方向へ移動可能な可動型２０、１２０と、該固定型１０、１１０の一部であって該固定型分割面１０Ａの略中央位置に相当する位置に取付けられ該湯道に連通するスリーブ３０、１３０とを有し、該湯道は該スリーブ３０、１３０から下方へ延出してキャビティ１ａ、１０１ａに連通する下方延出湯道１ｃ、１０１ｃと該スリーブ３０、１３０から上方へ延出して該キャビティ１ａ、１０１ａに連通する上方延出湯道１ｂ、１０１ｂとを有し、該湯道を介して該スリーブ３０、１３０内に給湯された溶湯２を該キャビティ１ａ、１０１ａに射出充填するダイカスト金型１、１０１において、該湯道は、該スリーブ３０、１３０の上方に溶湯を導く第１の湯道１ｄ、１０１ｄを有し、該第１の湯道１ｄ、１０１ｄを介して該下方延出湯道１ｃ、１０１ｃと該上方延出湯道１ｂ、１０１ｂとに溶湯が供給されるダイカスト金型１、１０１を提供している。
【０００８】
ここで、該湯道は、該第１の湯道１ｄと該下方延出湯道１ｃと該上方延出湯道１ｄとに連通する第２の湯道１ｅを有することが好ましい。
【０００９】
また、本発明は、上記ダイカスト金型１、１０１を用いてダイカストするダイカスト法を提供している。
【発明の効果】
【００１０】
本発明の請求項１、請求項２記載のダイカスト金型、請求項３記載のダイカスト法によれば、湯道は、スリーブの上方に溶湯を導く第１の湯道を有し、第１の湯道を介して下方延出湯道と上方延出湯道とに溶湯が供給されるため、スリーブに供給した溶湯をスリーブ内に一時的に貯留して、プランジャによって溶湯を射出充填する前に、溶湯が下方延出湯道を通ってキャビティに垂れ込むことを防止することができる。このため、品質に優れたダイカスト品をダイカストすることができる。
【発明を実施するための最良の形態】
【００１１】
本発明の実施の形態によるダイカスト金型について図１乃至図４を参照しながら説明する。図１に示されるように、ダイカスト金型１は、横射出／横型締め式のダイカストマシーンを構成しており、固定型１０と可動型２０とスリーブ３０とを有している。固定型１０は、固定ホルダ１１と、固定ホルダ１１に保持される固定ダイス１２とを備えており、また、可動型２０に対向し後述の可動型分割面２０Ａに当接可能な固定型分割面１０Ａを有している。固定型分割面１０Ａは、固定ダイス１２と固定ホルダ１１とにまたがっており、略鉛直方向に指向している。固定型分割面１０Ａの位置における固定ダイス１２の部分には、固定ダイス１２の内方へ窪んだ凹部からなる固定ダイス凹部１２ａが形成されている。
【００１２】
可動型２０は、可動ホルダ２１と、可動ホルダ２１に保持される可動ダイス２２とを備えている。可動型２０は、固定型１０に対して離間・接近するように略水平方向へ移動可能であり固定型１０に対して当接可能である。可動型２０は、固定型１０に対向し固定型分割面１０Ａに当接可能な可動型分割面２０Ａを有している。可動型分割面２０Ａは、可動ダイス２２と可動ホルダ２１とにまたがっており、固定型分割面１０Ａと平行をなして略鉛直方向に指向している。
【００１３】
可動型分割面２０Ａの位置における可動ダイス２２の部分には、可動ダイス２２の内方へ窪んだ凹部からなる可動ダイス凹部２２ａが形成されている。可動型分割面２０Ａと固定型分割面１０Ａとが互いに当接することにより可動型２０が固定型１０に当接しているときに、可動ダイス凹部２２ａは固定ダイス凹部１２ａと共にキャビティ１ａ及び後述の湯道を形成するように構成されている。
【００１４】
また、可動ダイス凹部２２ａの中央位置であって後述のスリーブ３０の一端に対向する位置には、分流子２２Ａが設けられている。後述のように、プランジャ３１の前進によりスリーブ３０内の溶湯２がキャビティ１ａ内へ充填されるときに、溶湯２が分流子２２Ａにより後述の第１の湯道１ｄから第２の湯道１ｅへ導かれるように構成されている。
【００１５】
スリーブ３０は略筒状をなしており、その軸方向は固定型分割面１０Ａ及び可動型分割面２０Ａに垂直の方向、即ち、図１の左右方向へ指向している。スリーブ３０の一端は、固定型１０の一部であって固定型分割面１０Ａの略中央位置に相当する位置に取付けられており、後述のように湯道を構成する第１の湯道１ｄに連通する。スリーブ３０の他端寄りの位置には、スリーブ３０の内部と外部とを連通する貫通孔からなる給湯孔３０ａが形成されており、給湯孔３０ａから溶湯２をスリーブ３０内部へ供給可能である。
【００１６】
また、スリーブ３０の他端寄りの部分にはプランジャ３１が設けられている。プランジャ３１はスリーブ３０内を摺動可能であり、給湯孔３０ａからスリーブ３０内へ溶湯２が給湯された後に、プランジャ３１を前進させることにより、即ち、図１の左方向へ摺動させることにより、スリーブ３０内の溶湯２を後述のキャビティ１ａ内へ充填可能である。
【００１７】
キャビティ１ａは、固定型分割面１０Ａ又は可動型分割面２０Ａに略平行な断面であって固定型分割面１０Ａ又は可動型分割面２０Ａの近傍の位置における断面で見ると、図２に示されるように、スリーブ３０（図１）の内周面により画成される空間を中心としてスリーブ３０を取囲むような略ロの字形状をした略環状をなしている。換言すれば、略環状をしたキャビティ１ａの略中央の位置にスリーブ３０の内周面により画成される空間が配置されている。
【００１８】
湯道は、上方延出湯道１ｂ、１ｂと、下方延出湯道１ｃ、１ｃと、第１の湯道１ｄと、第２の湯道１ｅとを有している。第１の湯道１ｄは、図１に示されるように、スリーブ３０の一端部の上部におけるスリーブ３０の内周面と、分流子２２Ａ上部における表面とにより画成されており、スリーブ３０の内周面により画成される空間であって第１の湯道１ｄ以外の部分と直接連通している。また、第１の湯道１ｄは、図２に示されるように、第２の湯道１ｅと直接連通しているが、上方延出湯道１ｂ及び下方延出湯道１ｃとは直接連通していない。第１の湯道１ｄは、スリーブ３０内に一時的に貯留された湯道２２をプランジャ３１で射出する際に、溶湯２２をスリーブ３０の上方に導くためのものである。
【００１９】
第２の湯道１ｅは、スリーブ３０の軸方向に垂直に切った断面で見た場合には、図２に示されるように、スリーブ３０の内周面により画成される略円柱状の空間と同軸的な円環状に形成されている。また、第２の湯道１ｅは、上方延出湯道１ｂ及び下方延出湯道１ｃと直接連通しているが、スリーブ３０の内周面により画成される空間とは直接連通していない。
【００２０】
上方延出湯道１ｂは、図２に示されるように、スリーブ３０を中心として放射状に２本上方へと延出してキャビティ１ａに連通している。下方延出湯道１ｃは、図２に示されるように、スリーブ３０を中心として放射状に２本下方へと延出してキャビティ１ａに連通している。第２の湯道１ｅに流入した溶湯２が、上方延出湯道１ｂと下方延出湯道１ｃとを通してキャビティ１ａ内へ充填されるように構成されている。
【００２１】
以上の構成により、スリーブ３０に供給した溶湯２をスリーブ３０内に一時的に貯留させることができ、溶湯２が、プランジャ３１によって溶湯２を射出充填する前に、下方延出湯道１ｃを通ってキャビティ１ａに垂れ込むことを防止することができる。このことにより、品質に優れたダイカスト品をダイカストすることができる。
【００２２】
ダイカスト法では、先ず、可動型２０を固定型１０へ接近させてゆき、可動型分割面２０Ａを固定型分割面１０Ａへ当接させることにより可動型２０を固定型１０へ当接させて型締めする。次に、溶湯２をスリーブ３０の給湯孔３０ａからスリーブ３０内へ供給する。すると、溶湯２は、図１、図２に示されるように、スリーブ３０内において一時的に貯留される。
【００２３】
次に、プランジャ３１を前進させてゆくと、図３に示されるように、溶湯２は第１の湯道１ｄによりスリーブ３０の上方に導かれて第２の湯道１ｅへと流れてゆく。そして、図４の矢印で示されるように、第２の湯道１ｅを通り下方延出湯道１ｃを通ってキャビティ１ａ内へ充填されてゆくと共に、第２の湯道１ｅを通り上方延出湯道１ｂを通ってキャビティ１ａ内へ充填されてゆく。
【００２４】
本発明によるダイカスト金型及びダイカスト法は、上述した実施の形態に限定されず、特許請求の範囲に記載した範囲で種々の変形や改良が可能である。例えば、第２の湯道１ｅは円環状に形成されていたが、この形状に限定されない。例えば、円環の一部が途切れた略Ｃの字形状であってもよく、また、円環状ではなくて、略ロの字形状の環状であってもよい。同様に、キャビティ、第１の湯道、上方延出湯道、下方延出湯道の形状は、本実施の形態におけるキャビティ１ａ、第１の湯道１ｄ、上方延出湯道１ｂ、下方延出湯道１ｃの形状に限定されない。
【００２５】
また、第２の湯道を介さずに第１の湯道が上方延出湯道と下方延出湯道とに連通する構成であってもよい。例えば、図５に示されるように、固定型１１０と可動型１２０とを有しキャビティ１０１ａが画成されるダイカスト金型１０１において、スリーブ１３０の上方に溶湯を供給する第１の湯道１０１ｄが形成されていてもよい。第１の湯道１０１ｄはスリーブ１３０の端面と可動型１２０に形成された凹部によって上方に延出するように画成される。図６に示されるように、第１の湯道１０１ｄによりスリーブ１３０の上方に導かれた溶湯は水平方向に分岐して上方延出湯道１０１ｂと下方延出湯道１０１ｃとに供給される。
【産業上の利用可能性】
【００２６】
本発明のダイカスト金型及びダイカスト法は、横射出／横型締め式のダイカストマシーンの分野において極めて有用である。
【図面の簡単な説明】
【００２７】
【図１】本発明の実施の形態によるダイカスト金型のスリーブに溶湯が給湯された状態を示す断面図。
【図２】図１のＩＩ−ＩＩ線に沿った要部断面図。
【図３】本発明の実施の形態によるダイカスト金型のスリーブ内の溶湯を、プランジャを前進させることによりキャビティへ充填させようとしている状態を示す断面図。
【図４】図３のＩＶ−ＩＶ線に沿った要部断面図。
【図５】本発明の実施の形態の変形例によるダイカスト金型を示す断面図。
【図６】図５のＶＩ−ＶＩ線に沿った要部断面図。
【図７】従来のダイカスト金型のスリーブに溶湯が給湯された状態を示す断面図。
【図８】図７のＶＩＩＩ−ＶＩＩＩ線に沿った要部断面図。
【符号の説明】
【００２８】
１、１０１        ダイカスト金型
１ａ、１０１ａ    キャビティ
１ｂ、１０１ｂ    上方延出湯道
１ｃ、１０１ｃ    下方延出湯道
１ｄ、１０１ｄ    第１の湯道
１ｅ      第２の湯道
２        溶湯
１０、１１０      固定型
１０Ａ    固定型分割面
２０、１２０      可動型
２０Ａ    可動型分割面
３０、１３０      スリーブ
【図１】
2007136522.tif 000003
【図２】
2007136522.tif 000004
【図３】
2007136522.tif 000005
【図４】
2007136522.tif 000006
【図５】
2007136522.tif 000007
【図６】
2007136522.tif 000008
【図７】
2007136522.tif 000009
【図８】
2007136522.tif 000010